(57)【要約】【課題】光束の収差の補正性能に優れ、小型化された撮像レンズを提供する。【解決手段】本発明に係る撮像レンズ１は、撮像素子１４に対して被写体像を結像する撮像レンズにおいて、上記被写体側に配置された、正の屈折力を有する第１レンズ１１ａと、撮像素子１４の上記被写体側に配置された、第２レンズ群１２とを備え、第２レンズ群１２は、光学特性の互いに異なる材料からなる第３レンズおよび第４レンズが積層されてなり、第４レンズ１２ｂは、撮像素子１４側が平面形状となっている。【選択図】図１
2008299271.tif 000002
【特許請求の範囲】
【請求項１】
撮像素子に対して被写体像を結像する撮像レンズにおいて、
被写体側に配置された、正の屈折力を有する、少なくとも１枚のレンズからなる被写体側レンズと、
撮像素子の上記被写体側に配置された撮像素子側レンズ群とを備え、
上記撮像素子側レンズ群は、光学特性の互いに異なる材料からなるレンズ層が２層以上積層されてなり、
上記レンズ層のうち、最も撮像素子側に配置されているレンズ層は、撮像素子側が平面形状となっていることを特徴とする撮像レンズ。
【請求項２】
上記最も撮像素子側に配置されているレンズ層の平面形状に接して、平面板が備えられていることを特徴とする請求項１に記載の撮像レンズ。
【請求項３】
上記レンズ層は、当該撮像素子側レンズ群の中心から周辺までに亘って、正の屈折力が増加する構成であることを特徴とする請求項１または２に記載の撮像レンズ。
【請求項４】
上記撮像素子側レンズ群は、曲面形状を有していることを特徴とする請求項３に記載の撮像レンズ。
【請求項５】
上記レンズ層のうちの少なくとも１層の材料が樹脂材料であることを特徴とする請求項１〜４の何れか１項に記載の撮像レンズ。
【請求項６】
上記最も撮像素子側に配置されているレンズ層の材料が樹脂材料であることを特徴とする請求項５の何れか１項に記載の撮像レンズ。
【請求項７】
上記レンズ層のうち最も被写体側に位置するレンズ層は、樹脂材料からなることを特徴とする請求項５または６に記載の撮像レンズ。
【請求項８】
上記レンズ層のうち最も被写体側に位置するレンズ層は、無機材料からなることを特徴とする請求項５または６に記載の撮像レンズ。
【請求項９】
上記互いに異なる材料からなる２層以上のレンズ層における任意の少なくとも２層間でのｄ線による屈折率の差が０．０５以上および／またはアッベ数の差が５以上であることを特徴とする請求項１に記載の撮像レンズ。
【請求項１０】
最も撮像素子側のレンズ層における平面形状部分の面積と、平面板における上記平面形状部分側の面積とが等しいことを特徴とする請求項１に記載の撮像レンズ。
【請求項１１】
上記平面板は、赤外線カットフィルタおよび光学的ローパスフィルタの少なくとも一方の機能を有することを特徴とする請求項１に記載の撮像レンズ。
【請求項１２】
請求項１〜１１の何れか１項に記載の撮像レンズと、
上記撮像レンズで結像された被写体像を撮像する撮像素子とを備えることを特徴とする撮像装置。
【請求項１３】
請求項１２に記載の撮像装置を備えることを特徴とする携帯型情報端末。
【発明の詳細な説明】
【技術分野】
【０００１】
本発明は、デジタルスチルカメラなどの小型カメラに用いられる撮像レンズに関するものであり、特に、携帯型情報端末および携帯電話機に内蔵される小型カメラとして好適なレンズ全長の短い撮像レンズに関する。
【背景技術】
【０００２】
近年、ＣＣＤ（Charge Coupled Device）およびＣＭＯＳ（Complementary Metal Oxide Semiconductor）に代表される固体撮像素子を用いたデジタルスチルカメラの普及が急速に進み、多種多様なデジタルスチルカメラが開発されている。デジタルスチルカメラの小型化は、固体撮像素子における技術の進歩と共に年々進んでいる。その中でも、携帯型情報端末または携帯電話機に搭載されるデジタルスチルカメラは、その筐体における大きさの制限などにより、特に小型化が求められている。
【０００３】
デジタルスチルカメラの小型化を行う上では、まず、固体撮像素子の画素数を増加させることが有効である。近年、半導体プロセスの技術進歩により、上記固体撮像素子の画素数は飛躍的に大きくなっており、これにより、一画素あたりの面積が小さくなって撮像素子全体の面積が縮小でき、携帯電話機などに搭載可能な大きさで、上述の携帯電話機などに搭載されるカメラにおいても３００万〜５００万画素のカメラが搭載されている。
【０００４】
次に、デジタルスチルカメラの小型化のために、レンズについても小型化が求められている。固体撮像素子の小型化の比率に応じて、レンズを小型化する、すなわち、レンズの焦点距離を短縮させる場合、レンズ構成枚数を減らすことなくレンズを小型化することは、レンズ１枚あたりの肉厚が薄くなるため製造工程上困難である。一方、レンズ構成枚数を減らす場合、良好な光学性能を得るための収差補正に対して不利となる。
【０００５】
このような現状において、例えば、特許文献１には、２枚のプラスチック非球面レンズによって構成された撮像レンズが開示されている。特許文献１によれば、光学特性が良好であり、小型化された撮像レンズを提供することができる。
【特許文献１】特開２００５−１２１６８５号公報（平成１７年５月１２日公開）
【発明の開示】
【発明が解決しようとする課題】
【０００６】
しかしながら、上記従来の撮像レンズは、光束の収差を補正するにあたり問題を有している。
【０００７】
具体的には、特許文献１に開示された撮像レンズでは、全長の短いコンパクトな光学系を実現しているものの、２枚のレンズによって、光軸以外の光束を含めた全ての光束を補正しなければならないという問題点がある。
【０００８】
本発明は、上記従来の問題点に鑑みなされたものであって、その目的は、光束の収差の補正性能に優れ、小型化された撮像レンズを提供することにある。
【課題を解決するための手段】
【０００９】
本発明に係る撮像レンズは、上記課題を解決するために、撮像素子に対して被写体像を結像する撮像レンズにおいて、被写体側に配置された、正の屈折力を有する、少なくとも１枚のレンズからなる被写体側レンズと、撮像素子の上記被写体側に配置された撮像素子側レンズ群とを備え、上記撮像素子側レンズ群は、光学特性の互いに異なる材料からなるレンズ層が２層以上積層されてなり、上記レンズ層のうち、最も撮像素子側に配置されているレンズ層は、撮像素子側が平面形状となっていることを特徴としている。
【００１０】
上記の発明によれば、被写体側レンズによって補正することができない光束の収差を撮像素子側レンズ群によって効率良く補正することができる。すなわち、光軸外の光束の収差を補正するため、光学特性の互いに異なる材料からなるレンズを積層することにより、小さなスペースに収差補正に必要な非球面を少ない多数配置できる。これにより、光束の収差の補正性能に優れ、小型化された撮像レンズを提供することができる。
【００１１】
また、本発明に係る撮像レンズでは、上記最も撮像素子側に配置されているレンズ層の平面形状に接して、平面板が備えられていることが好ましい。
【００１２】
これにより、平面板は撮像側レンズ群に接触して備えられているので、撮像レンズ群を保持する際、鏡筒に新たなレンズ保持機構を設ける必要がない。すなわち、本発明に係る撮像レンズでは、レンズ保持機構を設ける必要のあるレンズの枚数を減らすことができ、撮像レンズの小型をさらに実現することが可能である。
【００１３】
さらに、本発明に係る撮像素子側レンズ群は、光学特性の互いに異なる材料からなるレンズ層が２層以上積層されており、さらに最も撮像素子側のレンズ層に接触して平面板が備えられている。このような構成のため、撮像素子側レンズ群と平面板とを一体して取り扱うことができ、平面板と撮像素子とが、一体のパッケージとして取り扱うことができることと同様に、本撮像レンズが撮像素子を備える場合、撮像素子側レンズ群、平面板および撮像素子を一体のパッケージとして取り扱うことが可能である。
【００１４】
また、本発明に係る撮像レンズでは、上記撮像レンズ群は、曲面形状を有しており、上記レンズ層は、当該撮像素子側レンズ群の中心から周辺までに亘って、正の屈折力が増加する構成であることが好ましい。
【００１５】
上記の構成によって、上記の構成によって、撮像レンズ群の中央部の厚さを薄くし、光軸外部の厚さを厚くすることができる。これによって、光学長が長くなることを抑制でき、光学外の光束を効果的に補正することができる。
【００１６】
また、本発明に係る撮像レンズでは、上記レンズ層のうちの少なくとも１層の材料が樹脂材料であることが好ましい。
【００１７】
これにより、上記撮像レンズを製造するにあたり、量産性およびコスト面において有利となる。
【００１８】
また、本発明に係る撮像レンズでは、上記最も撮像素子側に配置されているレンズ層の材料が樹脂材料であることが好ましい。
【００１９】
これにより、上記撮像レンズを製造するにあたり、例えば、２Ｐ法などの公知の方法によって容易に製造することが可能となる。また、樹脂材料が用いられるので、上記撮像レンズを製造するにあたり、量産性およびコスト面において有利となる。
【００２０】
また、本発明に係る撮像レンズでは、上記レンズ層のうち最も被写体側に位置するレンズ層は、樹脂材料からなることが好ましい。
【００２１】
これにより、上記撮像レンズを製造するにあたり、量産性およびコスト面においてさらに有利となる。
【００２２】
また、本発明に係る撮像レンズでは、上記レンズ層のうち最も被写体側に位置するレンズ層は、無機材料からなることことが好ましい。
【００２３】
これにより、光学系の安定性および特性に優れた撮像レンズを提供することができる。
【００２４】
また、本発明に係る撮像レンズでは、上記互いに異なる材料からなるそれぞれの層について、レンズ層における任意の少なくとも２層間でのｄ線による屈折率の差が０．０５以上および／またはアッベ数の差が５以上であることが好ましい。
【００２５】
上記のような屈折率および／またはアッベ数の差の値であることにより、撮像素子側レンズの非球面の面数を増加させた場合の効果が大きくなる。
【００２６】
また、本発明に係る撮像レンズでは、最も撮像素子側のレンズ層における平面形状部分の面積と、平面板における上記平面形状部分側の面積とが等しい構成にすることができる。
【００２７】
このような構成であれば、平面板のサイズを最小限とすることができ、平面板のサイズをコンパクト化し、製造コストを低減させることができる。
【００２８】
また、本発明に係る撮像レンズでは、最も撮像素子側のレンズ層における平面形状部分の面積と、平面板における上記平面形状部分に接触している面の面積とが等しいことが好ましい。
【００２９】
これにより、撮像素子側レンズ群および平面板は、より安定した状態で取り扱われることができる。
【００３０】
また、本発明に係る撮像レンズでは、上記平面板は、赤外線カットフィルタおよび光学的ローパスフィルタの少なくとも一方の機能を有することが好ましい。
【００３１】
平面板が上記の機能を有することによって、別途赤外線カットフィルムや、光学的ローパスフィルタを備える必要がなくなるため、それらを備える場合に比べ撮像レンズをさらに小型化することができる。
【００３２】
また、本発明に係る撮像装置では、撮像レンズと、上記撮像レンズで結像された被写体像を撮像する撮像素子とを備えることが好ましい。
【００３３】
上記撮像装置は、上記の撮像素子側レンズ群に平面板が接触して備えられているので、上記撮像レンズを備える撮像装置においては、平面板と撮像素子が一体のパッケージとできることと同様に、撮像素子と撮像素子側レンズ群とを一体のパッケージとして取り扱うことができる。一般に撮像レンズ系においてレンズ群は鏡胴やホルダといった保持機構を別途必要とするが、撮像素子と撮像素子側レンズ群とを一体とすることで撮像素子側レンズ群のための保持機構を設ける必要がなく、小型化が可能となり、高精度に位置決めが出来、パッケージ化されたものは、温度変化や衝撃などでズレが生じることが少なく、環境変化があっても性能を維持することができる。さらには、撮像装置の小型・軽量化を行うことができ、量産効率の高い撮像装置を提供することができる。また環境変化による性能の劣化を抑制することができる。
【００３４】
また、本発明に係る携帯型情報端末では、上記撮像装置を備えることが好ましい。
【００３５】
上記撮像レンズは光学特性が良好であり、小型化されているため、携帯型情報端末の光学特性の向上および小型化を達成することができる。
【発明の効果】
【００３６】
本発明に係る撮像レンズは、以上のように、光学特性の互いに異なる材料からなるレンズ層が２層以上積層されてなり、上記レンズ層のうち、最も撮像素子側に配置されているレンズ層は、撮像素子側が平面形状となっているものである。
【００３７】
それゆえ、被写体側レンズによって補正することができない光束の収差を撮像素子側レンズ群によって効率良く補正することができる。すなわち、光軸外の光束の収差を補正するため、光学特性の互いに異なる材料からなるレンズを積層することにより、小さなスペースに収差補正に必要な非球面を少ない多数配置できる。これにより、光束の収差の補正性能に優れ、小型化された撮像レンズを提供することができるという効果を奏する。
【発明を実施するための最良の形態】
【００３８】
本発明に係る撮像レンズの一実施形態について図１ないし図３に基づいて説明すれば、以下の通りである。
【００３９】
＜撮像レンズ＞
図１は、本実施の形態に係る撮像レンズ１の断面図を示している。同図に示すように、撮像レンズ１は、被写体側（図１においては左手側）から順に、第１レンズ群１１、第２レンズ群（撮像素子側レンズ群）１２および平面板１３によって構成されている。さらに、第１レンズ群１１は、２枚の第１レンズ（被写体側レンズ）１１ａおよび第２レンズ（被写体側レンズ）１１ｂからなっており、第２レンズ群１２は、第３レンズ（レンズ層）１２ａおよび第４レンズ（レンズ層）１２ｂからなっている。
【００４０】
なお、第１レンズ群１１の被写体側には開口絞り１０が配置され、平面板１３の撮像素子側には撮像素子（固体撮像素子）１４が配置されている。開口絞り１０および撮像素子１４は、撮像レンズ１を構成する要素ではないが、撮像レンズ１を構成する要素の位置関係を明確にするため、便宜上、同図中に図示している。
【００４１】
開口絞り１０は、撮像レンズ１を通過する光量を調節するための装置である。開口絞り１０を備える位置については、特に限定されるものではない。同図においては、被写体側レンズの被写体側に開口絞り１０が備えられている構成を図示しているが、第１レンズ１１ａおよび第２レンズ１１ｂの間に備えられている構成としてもよいし、第１レンズ１１ａの撮像素子１４側に備えられている構成としてもよい。
【００４２】
第１レンズ群１１は、物体側から入射した光束に対して正の屈折力を有しており、物体からの光を受ける開口絞り１０側から順に、第１レンズ１１ａ、および第２レンズ１１ｂによって構成されている。
【００４３】
同図に示すように第１レンズ群１１は、第１レンズ１１ａおよび第２レンズ１１ｂの２枚のレンズから構成されているが、この枚数に限定されるものではなく１枚のレンズから構成されていてもよい。しかし、撮像レンズ１の小型・軽量化と球面収差、非点収差および歪曲収差などの各種収差の補正をさらに良好に行えるという観点から、２枚程度であることが好ましい。
【００４４】
第１レンズ１１ａの形状は、被写体側が凸形状であると共に球面形状である。一方、撮像素子１４側は凹形状であると共に低次の非球面形状を有するレンズである。
【００４５】
第２レンズ１１ｂは、被写体側が凹形状であり、撮像素子１４側が凸形状である。また、被写体側面および像面側面の両面とも非球面形状を有するレンズである。
【００４６】
第１レンズ１１ａおよび第２レンズ１１ｂの材料は、特に限定されるものではなく、具体的に、プラスチックなどの樹脂材料、ガラスおよび半導体などの無機材料、また、液晶、液体などをも用いることができる。さらにこれらの中でも、量産性およびコストの観点から樹脂材料（プラスチック）であることが好ましく、光学系の安定性および特性（例えば、屈折率、分散特性、耐熱性など）の観点からは、ガラスであることが好ましい。
【００４７】
第１レンズ１１ａおよび第２レンズ１１ｂの形成方法としては、従来公知の方法を用いることができる。例えば、第１レンズ１１ａおよび第２レンズ１１ｂがプラスチックからなる場合には、射出成形により形成されることが好ましい。
【００４８】
上記のように、第２レンズ群１２は、平面板１３の被写体側側面部に接するように形成されている曲面形状を有するレンズであることが好ましい。これにより、平面板は撮像側レンズ群に接触して備えられているので、撮像レンズ群を保持する際、鏡筒に新たなレンズ保持機構を設ける必要がない。すなわち、本発明に係る撮像レンズでは、レンズ保持機構を設ける必要のあるレンズの枚数を減らすことができ、撮像レンズの小型をさらに実現することが可能であるからである。
【００４９】
また、第２レンズ群１２は、第２レンズ群１２の中心から周辺までに亘って、正の屈折力が増加する構成であることが好ましい。これによって、光学長が長くなることを抑制でき、光学外の光束を効果的に補正することができるからである。
【００５０】
第２レンズ群１２は被写体側の第３レンズ１２ａおよび撮像素子側の第４レンズ１２ｂが積層されてなっていると共に、それぞれは光学特性の互いに異なる材料からなっているものである。さらに、第３レンズ１２ａの被写体側は曲面形状であり、第２レンズ群１２の中心から周辺までに亘って、正の屈折力が増加する構成となるよう、第３レンズ１２ａは、第３レンズ１２ａの中心から周辺までに亘って、正の屈折力が増加する構成となっている。
【００５１】
第３レンズ１２ａの形状については、曲面形状であれば特に限定されるものではないが、非球面形状であることが好ましく、光軸中心部が凹形状を有する非球面形状であることがより好ましい。第３レンズ１２ａの形状を光軸中心部が凹形状を有する非球面形状とすることによって、光軸中心部の厚さを薄くし、光軸外部の厚さを厚くできる。これによって、光学長を長くすることなく光軸外の光束を効果的に補正できる。なお、第３レンズ１２ａの形状において、光軸中心の厚さは０であってもよい。これは、光軸中心については、収差を補正する必要がほとんどないためである。なお、第３レンズ１２ａの周辺部において正の屈折力を有するような非球面形状であることが好ましい。
【００５２】
第４レンズ１２ｂは、第３レンズ１２ａと積層されてなっており、第４レンズ１２ｂの撮像素子１４側は平面形状となっている。このように平面形状となっているため、第４レンズ１２ｂと平面板１３とが面接触する構成にすることができる。
【００５３】
第３レンズ１２ａおよび第４レンズ１２ｂの材料は、上述した曲面形状を有するように第３レンズ１２ａを形成できるものであれば、特に限定されるものではない。具体的には、プラスチックなどの樹脂材料、ガラスおよび半導体などの無機材料、また、液晶、液体なども用いることができる。これらの中でも、量産性およびコストの観点からプラスチックであることが好ましく、光学系の安定性および特性（例えば、屈折率、分散特性および耐熱性など）の観点からは、ガラスであることが好ましい。
【００５４】
第４レンズ１２ｂの材料を樹脂とすることによって、平面板１３上に第４レンズ１２ｂを容易に形成することができ、さらに第３レンズ１２ａの形成の際に平面板１３が損傷することを防ぐことができる。
【００５５】
特に、第３レンズ１２ａおよび第４レンズ１２ｂの材料のうち少なくとも何れかが樹脂であれば、第２レンズ群１２を形成することが容易となる。具体的には、成型や研磨などにより得られた第３レンズ１２ａと平面板１３との間に光学樹脂を充填し、２Ｐ（Photoreplication Process）法により硬化、接着することによって、第４レンズ１２ｂを形成し、第２レンズ群１２を得ることができる。
【００５６】
また、第３レンズ１２ａおよび第４レンズ１２ｂの両方を２Ｐ法によって形成してもよい。第４レンズ１２ｂを平面板１３上に２Ｐ法で形成した後、第３レンズ１２ａを第４レンズ１２ｂの上に２Ｐ法で形成した後に、第３レンズ１２ａを第４レンズ１２ｂの上に２Ｐ法で形成することによって、第２レンズ群１２を得ることができる。
【００５７】
第３レンズ１２ａおよび第４レンズ１２ｂの光学特性は互いに異なるものであるが、これら２枚のレンズの屈折率またはアッベ数（逆分散率）の差が大きい場合には、上記２枚のレンズが積層される非球面の面数を増やす効果が大きくなるので好ましい。具体的には、屈折率の差が、０．０５以上であれば好ましい。また、アッベ数の差が５以上であれば好ましい。
【００５８】
なお、撮像レンズ１においては、第２レンズ群１２のレンズは２枚である構成としているが、第３レンズ１２ａと第４レンズ１２ｂとの間にさらにレンズを有する構成とすることができる。その場合、２Ｐ法などの従来公知の方法を用いて第２レンズ群を製造することができる。第２レンズ群１２が３枚以上のレンズを備えている場合には、第２レンズ群１２が備える３枚以上のレンズにおける任意の少なくとも２枚のレンズ間でのｄ線による屈折率の差が０．０５以上および／またはアッベ数の差が５以上であればよい。
【００５９】
平面板１３は、通常、撮像素子１４の損傷を防止するために用いられるものであり、ゴミ、埃などの異物から撮像素子１４を保護するためのものである。撮像レンズ１においては、第２レンズ群１２が平面板１３の被写体側側面部に形成されていることによって、第３レンズ１２ａを保持するためのレンズ保持機構を設ける必要がない。また、上記平面板１３上に光学特性の互いに異なるレンズを複数積層することにより、光束の収差を補正に必要な非球面を平面上に多数形成でき、第２レンズ群１２を小さなスペースに配置させることができる。なお、第２レンズ群１２と平面板１３とが１つの部材として一体成形されていれば、第２レンズ群と平面板１３とを安定して取り扱いうことができるため、さらに好ましい。
【００６０】
また、最も撮像素子１４側にある第４レンズ１２ｂの平面形状部分の面積と、平面板１３における、第４レンズ１２ｂの平面形状部分に接触している面積とを等しい構成にすることができる。これにより、平面板１３の大きさを必要最小限の大きさにすることができるため、製造コストを低減させることができる。なお、平面板１３の面積と、第４レンズ１２ｂの面積とは、完全に等しくなくとも上記の効果を得ることは可能であり、略等しい面積であってもよい。
【００６１】
平面板１３の材料は、特に限定されるものではないが、平面板１３自体は、撮像レンズ１に入射した光線に対して何ら影響を及ぼさない必要があるため、光学コーティング膜を有するガラスからなることが好ましい。すなわち、撮像素子１４を保護するためのカバーガラスであることが好ましい。なお、本実施形態において、平面板１３は、撮像素子１４のカバーとしての役割を担っている。
【００６２】
また、平面板１３は、赤外線カットフィルタおよび光学的ローパスフィルタの少なくとも一方の機能を有することが好ましく、上記の両機能を有していることがさらに好ましい。これにより、撮像レンズ１に、別途赤外線カットフィルムや光学的ローパスフィルタを備える必要がなくなるため、撮像レンズ１をさらに小型化することができる。
【００６３】
撮像素子１４は、撮像レンズ１を通過した光線を電気信号に変換するための電気変換部を備えた電子部品である。一般的に、撮像素子１４には、その受光側の面の中央部に画素が２次元的に配置された電気変換部が形成され、その周囲に信号処理回路が形成されている。信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部などから構成されている。なお、撮像素子１４の種類は、特に限定されるものではない。具体的には、ＣＣＤおよびＣＭＯＳなどを用いることができる。
【００６４】
次に、上記撮像レンズ１の詳細なデータについて説明する。表１および表２は、撮像レンズ１の具体的な撮像レンズのデータを示している。表１は撮像レンズの基本的なデータを示している。
【００６５】
ここで、本明細書等における「非球面形状」について説明する。本明細書等に係る非球面形状は、光軸方向にＺ軸、光軸と直交する方向にＹ軸をとるとき、数式１に示す非球面式を用いて表すことができる。
【００６６】
【数１】
2008299271.tif 000003
【００６７】
ただし、Ｋは円錐定数、Ｒは曲率半径、Ａ、Ｂ、ＣおよびＤはそれぞれ第４次、第６次、第８次および第１０次の非球面係数、Ｚは光軸から高さＹの位置にある非球面上の点から、非球面の頂点の接平面（光軸に垂直な平面）に下ろした垂線の長さを示す。
【００６８】
【表１】
2008299271.tif 000004
【００６９】
【表２】
2008299271.tif 000005
【００７０】
表１において、「ｆ」は撮像レンズ全体の合成焦点距離、「ＦＮＯ」は撮像レンズのＦナンバー（Ｆ値）、「ｄ」は撮像素子の対角長さを示している。
【００７１】
表１および２に示したレンズデータにおける面番号Ｓｉの欄には、最も被写体側の構成要素の面を１番目として、撮像素子側に向かうに従って順次増加するように番号を付したi番目（i＝１〜９）の面の番号を示している。曲率半径Ｒｉの欄には、被写体側からi番目の面の曲率半径の値を示している。面間隔Ｄｉの欄には、被写体側からi番目の面Ｓｉとi＋１番目の面Ｓｉ＋１との光軸上の間隔を示している。ＲｉおよびＤｉの値の単位はｍｍ（ミリメートル）である。屈折率およびアッベ数の欄には、平面板１３も含めたレンズ要素（第１レンズ１１ａ、第２レンズ１１ｂ、第３レンズ１２ａ、第４レンズ１２ｂおよび平面板１３）のｄ線（５８７．６ｎｍ）に対する屈折率およびアッベ数の値を示している。前述したとおり、屈折率の違いが、０．０５以上、または、アッベ数（逆分散率）の差が５以上あれば好ましい。このような値であれば、撮像素子１４側レンズの非球面の面数を増加させた場合の効果が大きくなる。屈折率およびアッベ数の具体的な数値としては、特に限定されるものではないが、屈折率が１．４以上１．８以下であり、アッベ数が４５以上６０以下である範囲を挙げることができる。
【００７２】
また、表２は面番号３〜６の非球面形状に関するデータ（非球面係数）を示している。
【００７３】
本実施の形態に係る撮像レンズ１では、ｄ線での屈折率ｎｄとアッベ数νｄは、第３レンズ１２ａ＿ｎｄ＝１．７５、νｄ＝４５．０、第４レンズ１２ｂ＿ｎｄ＝１．４５、νｄ＝５０．０、平面板１３＿ｎｄ＝１．５２、νｄ＝６４．２であり、それぞれ屈折率の違いが、０．０５以上、または、アッベ数（逆分散率）の差が５以上である。
【００７４】
図２において、（ａ）は、撮像レンズ１の球面収差を、（ｂ）は撮像レンズ１の非点収差を、（ｃ）は撮像レンズ１の歪曲収差を示す収差図である。各収差図には、ｄ線を基準波長とした収差を示すが、球面収差図においては、４４０ｎｍおよび６６０ｎｍについての収差も示す。非点収差図において、実線はタンジェンシャル（メリディオナル）方向の収差を示し、点線はサジタル方向の収差を示している。
【００７５】
同図から分かるように、平面板１３上に第３レンズ１２ａおよび第４レンズ１２ｂを積層するよう形成することによって、十分に収差補正がなされた撮像レンズ１を実現することができる。
【００７６】
＜撮像装置２０の構成＞
撮像装置２０の構成について、図３を参照して以下に説明する。同図は、撮像装置２０の断面図である。なお、図４では、撮像レンズとして、撮像レンズ１の構成を採用しているが、もちろんこれに限定されるものではなく、本発明において取り得る範囲で適宜変更することが可能である。
【００７７】
図３に示すように、撮像装置２０は、撮像レンズ１、撮像素子１４、筐体２１、支持基板２２、フレキシブルプリント基板２３、赤外線カットフィルタ２４およびレンズ保持部２５によって構成されている。
【００７８】
また、本実施の形態における撮像素子１４の受光側（被写体側）面の外縁近傍には、多数のパッド（図示しない）が設けられており、ボンディングワイヤＷを介して支持基板２２に接続されている。なお、撮像素子１４の種類は、特に限定されるものではない。具体的には、ＣＣＤおよびＣＭＯＳなどを用いることができる。
【００７９】
支持基板２２は、その一方の面において撮像素子１４および筐体２１を支持する硬質の基板である。また、支持基板２２の他方の面（撮像素子１４が支持されている面と反対側の面）には、その一端部が接続されたフレキシブルプリント基板２３が備えられている。支持基板２２には、表裏両面に多数の信号伝達用パッドが設けられており、一方の面ではボンディングワイヤＷを介して撮像素子１４と接続され、他方の面ではフレキシブルプリント基板２３と接続されている。
【００８０】
フレキシブルプリント基板２３は、外部の回路（例えば、撮像装置２０を搭載した装置が有する制御回路）から撮像素子１４を駆動するための電圧およびクロック信号の供給を受けたり、また、デジタルＹＵＶ信号を外部へ出力したりすることを可能にする基板である。なお、Ｙは輝度信号を、Ｕは赤と輝度信号との色差信号、Ｖは青と輝度信号との色差信号である。
【００８１】
筐体２１は、支持基板２２の撮像素子１４側の面に撮像素子１４を覆うように固定配置された遮光性のものである。具体的には、筐体２１は、撮像素子１４側においては撮像素子１４を囲むように広く開口されて支持基板２２に当接されており、他端側においては小開口を有するフランジ付きの筒状に形成されている。
【００８２】
筐体２１は、その内部にレンズ保持部２５を備えている。レンズ保持部２５は、第１レンズ１１ａ、第２レンズ１１ｂおよび開口絞り１０を保持するための部材である。
【００８３】
また、筐体２１の上部には、赤外線カットフィルタ２４が固定配置されている。なお赤外線カットフィルタ２４は、撮像レンズ１と撮像素子１４との間に固定配置されていてもよい。なお、平面板１３に赤外光カット機能を付加していてもよい。
【００８４】
撮像装置２０は、上記の第２レンズ群１２に平面板１３が接触して備えられているので、上記撮像レンズ１を備える撮像装置２０においては、平面板１３と撮像素子が一体のパッケージとできることと同様に、撮像素子と撮像素子側レンズ群とを一体のパッケージとして取り扱うことができる。
【００８５】
一般に撮像レンズ系においてレンズ群は鏡胴やホルダといった保持機構を別途必要とするが、撮像素子と撮像素子側レンズ群とを一体とすることで撮像素子側レンズ群のための保持機構を設ける必要がなく、小型化が可能となり、高精度に位置決めが出来、パッケージ化されたものは、温度変化や衝撃などでズレが生じることが少なく、環境変化があっても性能を維持することができる。さらには、撮像装置の小型・軽量化を行うことができ、量産効率の高い撮像装置を提供することができる。また環境変化による性能の劣化を抑制することができる。
【００８６】
また、本実施の形態における携帯型情報端末は、撮像レンズ１を備えるものである。本実施の形態に係る携帯情報端末としては、撮像レンズを備えることができるものであれば特に限定されない。具体的には、携帯型電話機、モバイル機器、ノートパソコンなどが挙げられる。
【００８７】
以上、本発明の具体的な実施例を示したが、本発明は、先に示した実施例の具体的形状および数値に限定されるものではなく、所望の光学特性および光学長を得るために、各パラメータを適宜変更することができる。
【００８８】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８９】
本発明に係る撮像レンズは、デジタルスチルカメラなどの撮像機器に好適に用いることができ、携帯用途に適した小型の撮像機器に対して特に好適に用いることができる。具体的な撮像機器としては、携帯型情報端末または携帯電話機に搭載されるデジタルカメラを挙げることができる。
【図面の簡単な説明】
【００９０】
【図１】本実施の形態に係る撮像レンズの断面図である。
【図２】本実施の形態に係る撮像レンズの球面収差、非点収差および歪曲収差を示す収差図である。
【図３】本実施の形態に係る撮像装置の断面図である。
【符号の説明】
【００９１】
１      撮像レンズ
１０      開口絞り
１１      第１レンズ群
１１ａ    第１レンズ
１１ｂ    第２レンズ
１２      第２レンズ群
１２ａ    第３レンズ
１２ｂ    第４レンズ
１３      平面板
１４      撮像素子
２０      撮像装置
【図１】
2008299271.tif 000006
【図２】
2008299271.tif 000007
【図３】
2008299271.tif 000008